(57)【特許請求の範囲】
【請求項１】
燃焼用バーナの燃焼排気における潜熱にて被加熱流体を加熱するための潜熱回収熱交換器が備えられ、その潜熱回収熱交換器にて前記燃焼排気を熱交換させることにより発生する排気凝縮水を中和させる中和手段が設けられている潜熱回収式加熱装置における排気凝縮水中和装置であって、
前記中和手段が、前記排気凝縮水を電気分解させることにより、前記排気凝縮水を中和させるように構成され、
前記中和手段にて前記排気凝縮水を電気分解させることにより発生する発生気体を、燃焼用気体として、前記燃焼用バーナに供給させる発生気体供給手段が設けられている潜熱回収式加熱装置における排気凝縮水中和装置。
【請求項２】
前記発生気体供給手段が、前記燃焼用バーナに燃焼用空気を供給するための給気ファンの作動により、前記発生気体を前記燃焼用気体として前記燃焼用バーナに供給させるように構成され、
前記中和手段が、前記給気ファンの作動中において、前記排気凝縮水を電気分解させるように構成されている請求項１に記載の潜熱回収式加熱装置における排気凝縮水中和装置。
【請求項３】
前記中和手段が、前記燃焼用バーナの燃焼中において、前記排気凝縮水を電気分解させるように構成されている請求項１又は２に記載の潜熱回収式加熱装置における排気凝縮水中和装置。
【発明の詳細な説明】
【０００１】
【発明の属する技術分野】
本発明は、燃焼用バーナの燃焼排気における潜熱にて被加熱流体を加熱するための潜熱回収熱交換器が備えられ、その潜熱回収熱交換器にて前記燃焼排気を熱交換させることにより発生する排気凝縮水を中和させる中和手段が設けられている潜熱回収式加熱装置における排気凝縮水中和装置に関する。
【０００２】
【従来の技術】
上記のような潜熱回収式加熱装置では、潜熱回収熱交換器において、燃焼排気中の水分が結露するまで燃焼排気と給湯用の水などの被加熱流体とを熱交換させることにより排気凝縮水が発生し、その排気凝縮水は、硝酸などが含まれているので酸性となる。
そして、酸性の排気凝縮水を酸性のまま排水すると、腐食などの問題を生じるので、排気凝縮水を中和させる中和手段が設けられた排気凝縮水中和装置にて、排気凝縮水を排水可能な程度まで中和させるようにしている。
【０００３】
この種の潜熱回収式加熱装置における排気凝縮水中和装置では、排気凝縮水を中和させる構成として、例えば、下記の従来構成１および従来構成２がある。
従来構成１は、導入口から排出口に排気凝縮水を通流させる排気凝縮水通路を設け、その排気凝縮水通路中に炭酸カルシウムなどの中和剤を充填し、導入口から排気凝縮水を導入させて、排気凝縮水通路を排気凝縮水を通流させることにより、排気凝縮水を中和剤にて中和するようにしている（例えば、特開２００１−２５２６７６号公報）。
従来構成２は、排気凝縮水を貯留する中和タンク内に、アルミニウムなど水素イオンよりもイオン化傾向の大きい金属から形成された第１電極と、チタンなど水素イオンよりもイオン化傾向の小さい金属から形成された第２電極とを設け、中和タンクに排気凝縮水を供給し、燃焼用バーナの燃焼中に、第１電極に正の電圧を、第２電極に負の電圧を夫々印可することにより、第１電極を形成している金属を排気凝縮水に溶出させて、排気凝縮水を中和させるようにしている（例えば、特開平８−１３６０５８号公報）。
ちなみに、この従来構成２では、燃焼用バーナの燃焼を停止させているときに、燃焼用バーナの燃焼中とは逆に、第１電極に負の電圧を、第２電極に正の電圧を夫々印可させて、第１電極を形成している金属が排気凝縮水に溶出するのを防止している。
【０００４】
【発明が解決しようとする課題】
上記従来構成１の潜熱回収式加熱装置における排気凝縮水中和装置では、中和剤を排気凝縮水通路中に充填させているので、装置の重量が重くなり、しかも、炭酸カルシウムなどの中和剤にて排気凝縮水を中和させているために、排気凝縮水を中和させるごとに中和剤を消耗していくことになるので、比較的短時間で中和剤の交換作業が必要となり、その交換作業が煩わしいものとなる。
また、上記従来構成２の潜熱回収式加熱装置における排気凝縮水中和装置では、第１電極として形成されている金属を排気凝縮水に溶出させることにより排気凝縮水を中和しているために、排気凝縮水を中和させるごとに第１電極として形成されている金属を消耗していくことになるので、比較的短時間で第１電極の交換作業が必要となり、その交換作業が煩わしいものとなる。
【０００５】
本発明は、かかる点に着目してなされたものであり、その目的は、煩わしい作業を必要とせず、排気凝縮水を中和させることが可能となる潜熱回収式加熱装置における排気凝縮水中和装置を提供する点にある。
【０００６】
【課題を解決するための手段】
この目的を達成するために、請求項１に記載の発明によれば、燃焼用バーナの燃焼排気における潜熱にて被加熱流体を加熱するための潜熱回収熱交換器が備えられ、その潜熱回収熱交換器にて前記燃焼排気を熱交換させることにより発生する排気凝縮水を中和させる中和手段が設けられている潜熱回収式加熱装置における排気凝縮水中和装置において、
前記中和手段が、前記排気凝縮水を電気分解させることにより、前記排気凝縮水を中和させるように構成され、
前記中和手段にて前記排気凝縮水を電気分解させることにより発生する発生気体を、燃焼用気体として、前記燃焼用バーナに供給させる発生気体供給手段が設けられている。
【０００７】
すなわち、一般的に、排気凝縮水には、酸性の硝酸が含まれており、その硝酸が含まれた排気凝縮水を中和手段にて電気分解させることにより、陰極からは水素、陽極からは酸素、一酸化窒素や二酸化窒素などの窒素酸化物が発生することになるので、排気凝縮水を中和手段にて電気分解させることにより、排気凝縮水に含まれた酸性の硝酸を除去させて、排気凝縮水を中和させることが可能となる。
したがって、排気凝縮水を中和させるごとに消耗していく中和剤などの消耗品を必要とせずに、排気凝縮水を中和させることが可能となるので、比較的短時間での交換作業の必要性をなくすことが可能となって、煩わしい作業を必要とせず、排気凝縮水を中和させることが可能となる潜熱回収式加熱装置における排気凝縮水中和装置を提供できるに至った。
【０００８】
ちなみに、排気凝縮水には、硝酸の他に炭酸など他の酸も含まれているが、それら他の酸については、硝酸に比べて十分ｐＨへの寄与は小さいので、排気凝縮水を電気分解させて、排気凝縮水に含まれた硝酸を除去させることにより、排水可能な程度まで排気凝縮水を中和させることが可能となる。
【００１０】
又、請求項１に記載の発明によれば、中和手段にて排気凝縮水を電気分解させることにより、陽極からは水素、陰極からは酸素、一酸化窒素や二酸化窒素などの窒素酸化物が発生気体として発生することになるので、水素および窒素酸化物を含む発生気体を、発生気体供給手段にて、燃焼用気体として、燃焼用バーナに供給させることにより、水素および窒素酸化物を含む発生気体がそのまま大気放出されることを防止することが可能となる。
【００１１】
ちなみに、燃焼用気体として燃焼用バーナに供給される発生気体に含まれる水素および窒素酸化物の濃度は、燃焼用バーナに供給される燃料ガスなどの濃度に比べると、十分低濃度であるので、燃焼用バーナの燃焼状態に与える影響は小さい。
【００１２】
請求項２に記載の発明によれば、前記発生気体供給手段が、前記燃焼用バーナに燃焼用空気を供給するための給気ファンの作動により、前記発生気体を前記燃焼用気体として前記燃焼用バーナに供給させるように構成され、前記中和手段が、前記給気ファンの作動中において、前記排気凝縮水を電気分解させるように構成されている。
【００１３】
すなわち、発生気体供給手段は、給気ファンを作動させることにより、発生気体を燃焼用気体として燃焼用バーナに供給させることが可能となるので、燃焼用バーナに燃焼用空気を供給するために設けられる給気ファンを利用して、発生気体を燃焼用気体として燃焼用バーナに供給することが可能となり、発生気体供給手段の構成の簡素化を図ることが可能となる。
しかも、中和手段が、給気ファンの作動中において、排気凝縮水を電気分解させて、発生気体を発生させることが可能となるので、給気ファンの作動によって、発生気体を燃焼用気体として燃焼用バーナに供給することが可能となり、発生気体が燃焼用バーナへの供給経路途中などで滞留するのを防止することが可能となる。
【００１４】
請求項３に記載の発明によれば、前記中和手段が、前記燃焼用バーナの燃焼中において、前記排気凝縮水を電気分解させるように構成されている。
【００１５】
すなわち、排気凝縮水が発生するのは、燃焼用バーナの燃焼中であるので、中和手段が、燃焼用バーナの燃焼中において、排気凝縮水を電気分解させることにより、発生する排気凝縮水を的確に中和させることが可能となり、しかも、排気凝縮水を発生しない、燃焼用バーナの燃焼停止中には、中和手段が、排気凝縮水を電気分解させないようにすることが可能となり、水素や窒素酸化物などの発生気体の発生を極力防止することが可能となる。
【００１６】
【発明の実施の形態】
本発明にかかる潜熱回収式加熱装置における排気凝縮水中和装置を潜熱回収式給湯装置に適応した例について図面に基づいて説明する。
この潜熱回収式給湯装置は、図１に示すように、ケーシング１内に給湯部２とともに排気凝縮水中和装置３が組み込まれて、排気凝縮水中和装置３が内蔵され、給湯部２および排気凝縮水中和装置３の作動を制御する制御部Ｈなどを備えて構成されている。
【００１７】
前記給湯部２は、燃焼部を下向きに配置した燃焼用バーナ４と、その燃焼用バーナ４からの下向き燃焼ガス経路において上下２段に配置した主熱交換器５および潜熱回収熱交換器６などから構成され、燃焼用バーナ４に燃焼用空気を供給する給気ファン７も設けられている。
そして、潜熱回収熱交換器６にて熱交換された後の燃焼排ガスＧは排気路８を通してケーシング１の外部に排出されるように構成されている。
【００１８】
前記潜熱回収熱交換器６には、例えば家庭用の水道などから水が供給される入水路９が接続され、前記主熱交換器５には、加熱後の湯水を出湯する出湯路１０が接続され、入水路９を通して供給される水が、潜熱回収熱交換器６にて燃焼排ガスと熱交換された後、主熱交換器５に供給されて燃焼排ガスと熱交換されて所望の温度の湯水が出湯路１０を通して供給されるように構成されている。
そして、主熱交換器５において燃焼用バーナ４の燃焼排ガスと供給される水との間で熱交換させ、潜熱回収熱交換器６において、主熱交換器５で水加熱用に用いた後の燃焼排ガスと主熱交換器５に通水する前の水との間で燃焼排ガス中水分の凝縮を伴う状態で熱交換させて、燃焼排ガスにおける顕熱と潜熱とを回収するように構成されている。
【００１９】
また、潜熱回収熱交換器６の下方には、潜熱回収熱交換器６にて燃焼排ガスと主熱交換器５に通水する前の水とを熱交換させることにより発生する排気凝縮水、すなわちドレンを受け止め回収するドレン回収部１１が設けられ、このドレン回収部１１にて回収された排気凝縮水をドレン供給路１２を通して排気凝縮水中和装置３に供給されるように構成されている。
【００２０】
前記排気凝縮水中和装置３は、図２に示すように、中和装置用ケーシング３ａ内に、ドレン供給路１２を通して供給される排気凝縮水を貯留する貯留部１４、その貯留部１４に貯留されている排気凝縮水を電気分解させることにより、排気凝縮水を中和させる中和手段１３を備えて構成され、貯留部１４に排気凝縮水を供給する導入部１５、中和手段１３にて中和された排気凝縮水を排出する排出部１６などが設けられている。
【００２１】
説明を加えると、潜熱回収熱交換器６にて燃焼排ガスと主熱交換器５に通水する前の水とを熱交換させることにより発生する排気凝縮水には、主に硝酸が含まれているので、その硝酸が含まれた排気凝縮水を、中和手段１３にて電気分解することにより、陰極１３ａ側から水素が発生し、陽極１３ｂ側から酸素、および、一酸化窒素や二酸化窒素などの窒素酸化物が発生し、排気凝縮水に含まれた硝酸を除去させて、排気凝縮水を中和させるように構成されている。
ちなみに、排気凝縮水には、硝酸の他に炭酸などの他の酸も含まれているが、それら他の酸については、硝酸に比べて十分ｐＨへの寄与は小さいので、排気凝縮水を電気分解させて、排気凝縮水に含まれた硝酸を除去させることにより、排水可能な程度まで排気凝縮水を中和させることが可能となる。
【００２２】
具体的に説明をすると、貯留部１４は、第１貯留部１４ａ、第２貯留部１４ｂ、第３貯留部１４ｃの３つが備えられ、導入部１５から導入される排気凝縮水は、第１貯留部１４ａ、第２貯留部１４ｂ、第３貯留部１４ｃの順にオーバーフローにより供給されるように構成されている。
前記中和手段１３は、第１貯留部１４ａ、第２貯留部１４ｂ、第３貯留部１４ｃの夫々に、陽極１３ａと陰極１３ｂの一対の電極（例えば、炭素などの非金属またはチタンなどの金属）を設け、一対の電極１３ａ，１３ｂの夫々に通電させる通電部１３ｃを設けて、通電部１３ｃにて一対の電極１３ａ，１３ｂの夫々に通電させることにより、貯留部１４に貯留している排気凝縮水を電気分解させるように構成されている。
【００２３】
前記導入部１５から導入される排気凝縮水は、第１貯留部１４ａに供給されて、通電部１３ｃによる一対の電極１３ａ，１３ｂへの通電により、電気分解されたのち、第２貯留部１４ｂに供給される。
そして、第２貯留部１４ｂに供給された排気凝縮水は、通電部１３ｃによる一対の電極１３ａ，１３ｂへの通電により、電気分解されたのち、第３貯留部１４ｃに供給され、その第３貯留部１４ｃにおいても、通電部１３ｃによる一対の電極１３ａ，１３ｂへの通電により、電気分解される。
このようにして、第１貯留部１４ａ、第２貯留部１４ｂ、第３貯留部１４ｃの夫々において電気分解された排気凝縮水は、排気部１６から排気路２０を通して排水されるように構成されている。
【００２４】
そして、中和手段１３にて排気凝縮水を電気分解させることにより発生する発生気体は、水素および窒素酸化物を含むのでそのまま大気放出させることは好ましくないので、発生気体を、燃焼用気体として、燃焼用バーナ４に供給させる発生気体供給手段１７が設けられている。
前記発生気体供給手段１７は、燃焼用バーナ４に燃焼用空気を供給するための給気ファン７の作動により、発生気体を燃焼用気体として燃焼用バーナ４に供給させるように構成されている。
ちなみに、燃焼用気体として燃焼用バーナ４に供給される発生気体に含まれる水素および窒素酸化物の濃度は、燃焼用バーナ４に供給される燃料ガスの濃度に比べると、十分低濃度であるので、燃焼用バーナの燃焼状態に与える影響は小さい。
【００２５】
説明を加えると、給気口１９から中和装置用ケーシング３ａ内に燃焼用空気を供給させる第１給気路１８ａと、中和装置用ケーシング３ａ内の発生気体と第１給気路１８ａを通して中和装置用ケーシング３ａ内に供給された燃焼用空気を給気ファン７の給気口７ａに供給させる第２給気路１８ｂとが設けられている。
そして、第１給気路１８ａと第２給気路１８ｂとからなる給気経路１８は、ケーシング１の給気口１９から給気ファン７の給気口７ａに連通し、その経路途中に、中和装置用ケーシング３ａを配設させるようにしている。
このようにして、給気ファン７の作動により、中和装置用ケーシング３ａ内の発生気体を、ケーシング１の給気口１９から給気される燃焼用空気とともに、給気ファン７の給気口７ａに供給することにより、発生気体を燃焼用バーナ４に燃焼用気体として供給するように構成されている。
【００２６】
ちなみに、給気ファン７の作動に伴い、中和装置用ケーシング３ａ内の気体が給気ファン７の給気口７ａに供給されるので、燃焼用バーナ４の燃焼排ガスが、ドレン供給路１２を通して中和装置用ケーシング３ａ内に供給されて、給気ファン７の作動に伴い、給気ファン７の給気口７ａに供給されるのを防止するために、排気凝縮水を貯留部１４に供給する導入部１５は、水封されている。
【００２７】
前記制御部Ｈは、図外の操作部などの指令に基づいて、燃焼用バーナ４の燃焼状態を制御することにより、給湯部２の作動を制御するとともに、給湯部２の作動状態に基づいて、中和手段１３における通電部１３ｃによる一対の電極１３ａ，１３ｂの夫々への通電状態を制御することにより、排気凝縮水中和装置３の作動を制御するように構成されている。
【００２８】
前記制御部Ｈによる給湯部２の制御について説明を加えると、制御部Ｈは、燃焼用バーナ４の燃焼停止中に給湯開始が指令されると、給気ファン７の作動を開始し、燃焼用バーナ４へ燃料ガスを供給して、図外のイグナイタを作動させて、燃焼用バーナ４に点火させる点火動作を行う。
そして、制御部Ｈは、燃焼用バーナ４の燃焼中には、燃焼用バーナ４への燃料ガス供給量および給気ファン７の回転速度を調整して燃焼用バーナ４による加熱量を調整し、所望の温度の湯水を出湯路１０を通して供給するようにしている。
また、制御部Ｈは、燃焼用バーナ４の燃焼中に給湯停止が指令されると、燃焼用バーナ４への燃料ガスの供給を停止し、燃焼用バーナ４の燃焼を停止させたのち、設定時間給気ファン７の作動を継続させて、燃焼用バーナ４による燃焼排ガスを排出するようにしている。
【００２９】
前記制御部Ｈによる排気凝縮水中和装置３の制御について説明を加えると、制御部Ｈは、給気ファン７の作動中において、通電部１３ｃにて一対の電極１３ａ，１３ｂの夫々へ通電させることにより、中和手段１３が、給気ファン７の作動中において、排気凝縮水を電気分解させるように構成されている。
具体的には、制御部Ｈは、燃焼用バーナ４の燃焼中には、給気ファン７を作動させるので、燃焼用バーナ４の燃焼中において、通電部１３ｃにて一対の電極１３ａ，１３ｂの夫々へ通電させることにより、中和手段１３が、燃焼用バーナ４の燃焼中において、排気凝縮水を電気分解させるように構成されている。
ちなみに、制御部Ｈは、通電部１３ｃによる一対の電極１３ａ，１３ｂの夫々への通電量を調整して、一対の電極１３ａ，１３ｂに１．４Ｖ＋α（例えば、２．０Ｖ）以上の電圧を印可させるようにしている。
【００３０】
具体的に説明をすると、制御部Ｈは、燃焼用バーナ４の燃焼停止中に給湯開始が指令されると、給気ファン７の作動を開始し、燃焼用バーナ４へ燃料ガスを供給して、図外のイグナイタを作動させる点火動作を行い、図外のフレームロッドで燃焼用バーナ４の着火を確認する。
そして、制御部Ｈは、燃焼用バーナ４の着火が確認されると、通電部１３ｃによる一対の電極１３ａ，１３ｂの夫々への通電を開始させ、その通電によって排気凝縮水を電気分解させて、排気凝縮水を中和させるようにしている。
このとき、中和手段１３にて排気凝縮水を電気分解することにより発生する発生気体は、給気ファン７の作動により、ケーシング１の給気口１９から給気される燃焼用空気とともに、燃焼用気体として燃焼用バーナ４に供給される。
【００３１】
また、制御部Ｈは、燃焼用バーナ４の燃焼中において、給気ファン７の回転速度に基づいて、発生気体に含まれる水素および窒素酸化物の濃度が給気ファン７の給気口７ａに供給される気体の設定濃度を越えないように、通電部１３ｃによる一対の電極１３ａ，１３ｂの夫々への通電量を調整して、発生気体の発生量を調整するように構成されている。
【００３２】
そして、制御部Ｈは、燃焼用バーナ４の燃焼中に給湯停止が指令されると、燃焼用バーナ４への燃料ガスの供給を停止し、燃焼用バーナ４の燃焼を停止させるとともに、通電部１３ｃによる一対の電極１３ａ，１３ｂの夫々への通電を停止したのち、設定時間給気ファン７の作動を継続させて、排気凝縮水を電気分解することにより発生した発生気体を、燃焼用バーナ４による燃焼排ガスとともに、排出するようにしている。
【００３３】
前記制御部Ｈによる制御動作について、図３のフローチャートに基づいて説明する。
まず、制御部Ｈは、燃焼用バーナ４の燃焼停止中に給湯開始が指令されると、給気ファン７を作動させて燃焼用バーナ４に対する点火動作を行い（ステップ１，２）、燃焼用バーナ４の着火が確認されると、通電部１３ｃによる一対の電極１３ａ，１３ｂの夫々への通電を開始させる通電開始動作を行う（ステップ３，４）。
そして、燃焼用バーナ４の燃焼中には、燃焼用バーナ４による加熱量が調整させるとともに、給気ファン７の回転速度に基づいて、発生気体に含まれる水素および窒素酸化物の濃度が給気ファン７の給気口７ａに供給される気体の設定濃度を越えないように、通電部１３ｃによる一対の電極１３ａ，１３ｂの夫々への通電量を調整する加熱量・通電量調整動作を行う（ステップ５）。
【００３４】
その後、給湯停止の指令があるまで、上述の加熱量・通電量調整動作を行い、給湯停止の指令があると、燃焼用バーナ４への燃料ガスの供給を停止して、燃焼用バーナ４の燃焼を停止するとともに、通電部１３ｃによる一対の電極１３ａ，１３ｂの夫々への通電を停止させる燃焼・通電停止動作を行ったのち（ステップ６，７）、設定時間給気ファン４の作動を継続させるパージ動作を行う（ステップ８）。
【００３５】
〔別実施形態〕
（１）上記実施形態では、発生気体供給手段１７として、給気経路１８の経路途中に、中和装置用ケーシング３ａを配設させて、給気ファン７の作動により、中和手段１３にて排気凝縮水を電気分解させることにより発生する発生気体を、燃焼用気体として、燃焼用バーナ４に供給させるようにしているが、例えば、中和装置用ケーシング３ａ内と給気ファン７の給気口７ａとを連通する連通路を、給気経路１８とは別に設けて、給気ファン７の作動により、中和手段１３にて排気凝縮水を電気分解させることにより発生する発生気体を、燃焼用気体として、燃焼用バーナ４に供給させるようにすることも可能である。
また、給気ファン７を利用しなくても、発生気体を燃焼用気体として燃焼用バーナ４に供給させることも可能であり、発生気体供給手段１７の構成については、発生気体を燃焼用気体として燃焼用バーナ４に供給させるものであればよい。
【００３６】
（２）上記実施形態では、給気ファン７が設けられた潜熱回収式給湯装置において、中和手段１３が、給気ファン７の作動中において、排気凝縮水を電気分解させるようにしているが、例えば、ファンを設けていない中圧ボイラーにおいては、中和手段１３を、燃焼用バーナ４の燃焼中において、排気凝縮水を電気分解させるように構成させて実施することが可能である。
【００３７】
（３）上記実施形態では、制御部Ｈは、燃焼用バーナ４の燃焼中に、給気ファン７の回転速度に基づいて、通電部１３ｃによる一対の電極１３ａ，１３ｂへの通電量を調整するように構成しているが、例えば、制御部Ｈは、燃焼用バーナ４の燃焼中に、通電部１３ｃによる一対の電極１３ａ，１３ｂへの通電量を一定の設定量として実施することも可能である。
【００３８】
（４）上記実施形態では、貯留部１４を３つ設けて、それら３つの貯留部１４の夫々において、排気凝縮水を電気分解させるようにしているが、貯留部１４の数については適宜変更が可能である。
【００３９】
（５）上記実施形態では、排気凝縮水中和装置３の中和装置用ケーシング３ａを潜熱回収式給湯装置のケーシング１内に収納するようにしているが、排気凝縮水中和装置３の中和装置用ケーシング３ａを潜熱回収式給湯装置のケーシング１の外側面部に隣接する状態で設けるなどして、中和装置用ケーシング３ａとケーシング１とを各別に設けるように構成することも可能である。
【００４０】
（６）上記実施形態では、潜熱回収式給湯装置として、燃料用バーナ４における燃焼部を下向きに配置するように構成したが、燃焼用バーナ４における燃焼部を上向きに配置して構成して実施することも可能であり、潜熱回収式の給湯装置であればよい。
【００４１】
（７）上記実施形態では、潜熱回収式加熱装置として、潜熱回収式給湯装置に適応した例を示したが、潜熱回収式ボイラーなど各種の潜熱回収式加熱装置に適応することが可能である。
【図面の簡単な説明】
【図１】潜熱回収式給湯装置の概略構成図
【図２】排気凝縮水中和装置の概略構成図
【図３】制御動作を示すフローチャート
【符号の説明】
６              潜熱回収熱交換器
７              給気ファン
１３            中和手段
１７            発生気体供給手段
【図１】
0004169518.tif 000002
【図２】
0004169518.tif 000003
【図３】
0004169518.tif 000004